(57)【要約】  画像表示装置（１０）は、表示パネル（１０２）と、略平坦な面を有する平坦部（１１１Ａ）を含む下フレーム（１１１）と、平坦部（１１１Ａ）に略等間隔で配置される光源（１１３）と、複数のサポートピン（１１２）で、光源（１１３）から離間して支持される輝度均一板（１０７）とを備え、輝度均一板（１０７）は、光源（１１３）の出射光を表示パネル（１０２）側に透過させる複数の貫通孔を有し、複数の貫通孔は、輝度均一板（１０７）において配列をなすように並ぶ、それぞれが光源（１１３）のいずれかに対向する区画の各々に適用される所定のパターンで配置され、当該所定のパターンは、区画のうち、配列の外周に接する区画の少なくとも一部に適用される第一パターンと、第一パターンが適用されない区画の少なくとも一部に適用される第二パターンとを含む。
2018147274.tif 000002
【特許請求の範囲】
【請求項１】
表示パネルと、
前記表示パネルの有効領域と対向する略平坦な面を有する平坦部を含む下フレームと、
前記平坦部に略等間隔で配置される複数の光源と、
前記平坦部に略等間隔で配置される柱状の複数のサポートピンに、前記複数の光源から離間して支持されるシート状の輝度均一板とを備え、
前記輝度均一板は、前記複数の光源の出射光を前記表示パネル側に透過させる複数の貫通孔を有し、
前記複数の貫通孔は、前記輝度均一板において配列をなす、それぞれが前記複数の光源のいずれかに対向する複数の区画の各々に適用される所定のパターンで配置され、
前記所定のパターンは、前記複数の区画のうち少なくとも、前記配列の外周に接する外区画の一部に適用される第一パターンと、前記複数の区画のうち第一パターンが適用されない区画の少なくとも一部に適用される、前記第一パターンとは異なる第二パターンとを含む
画像表示装置。
【請求項２】
前記第一パターンが適用されている前記外区画においては、前記複数の貫通孔による前記輝度均一板の開口率と、前記複数の光源のうち前記外区画が対向する光源からの距離とが正の相関を有し、かつ前記開口率と前記配列の外周からの距離とが負の相関を有する
請求項１に記載の画像表示装置。
【請求項３】
前記配列においては、前記複数の区画は３行以上かつ３列以上の行列状に並び、
前記配列の外周は矩形であり、
前記第一パターンは、前記矩形の対向する１組の辺のいずれかに接する前記外区画に適用される
請求項１又は２に記載の画像表示装置。
【請求項４】
前記第一パターンは、前記矩形の四辺のいずれかに接する前記外区画に適用される
請求項３に記載の画像表示装置。
【請求項５】
前記第二パターンは、前記複数の区画のうち、前記配列の外周に接しない内区画の少なくとも一部に適用され、
前記第二パターンが適用されている前記内区画においては、前記複数の貫通孔による前記輝度均一板の開口率と、前記複数の光源のうち当該内区画が対向する光源からの距離とが正の相関を有する
請求項２から４のいずれか１項に記載の画像表示装置。
【請求項６】
前記複数の貫通孔は、前記複数の区画のそれぞれにおいて、密度及び各々の開口面積の少なくとも一方が変化する
請求項２から５のいずれか１項に記載の画像表示装置。
【発明の詳細な説明】
【技術分野】
【０００１】
本開示は、液晶セル等の表示パネルを備える画像表示装置に関する。
【背景技術】
【０００２】
特許文献１は、輝度ムラが少ない均一な面照明光を得るための光透過反射板を含む面光源ユニットを直下型のバックライトとして用いる表示装置を開示する。
【先行技術文献】
【特許文献】
【０００３】
【特許文献１】特開２０１１−１５１００２号公報
【発明の概要】
【発明が解決しようとする課題】
【０００４】
本開示は、画面全体で輝度の均一性のより高い表示が可能な画像表示装置を提供する。
【課題を解決するための手段】
【０００５】
本開示における画像表示装置は、表示パネルと、表示パネルの有効領域と対向する略平坦な面を有する平坦部を含む下フレームと、平坦部に略等間隔で配置される複数の光源と、平坦部に略等間隔で配置される柱状の複数のサポートピンに、複数の光源から離間して支持されるシート状の輝度均一板とを備え、輝度均一板は、複数の光源の出射光を表示パネル側に透過させる複数の貫通孔を有し、複数の貫通孔は、輝度均一板において配列をなす、それぞれが複数の光源のいずれかに対向する複数の区画の各々に適用される所定のパターンで配置され、当該所定のパターンは、複数の区画のうち少なくとも、上記の配列の外周に接する外区画の一部に適用される第一パターンと、複数の区画のうち第一パターンが適用されない区画の少なくとも一部に適用される、第一パターンとは異なる第二パターンとを含む。
【発明の効果】
【０００６】
本開示における画像表示装置によれば、画面全体で輝度の均一性のより高い表示が可能である。
【図面の簡単な説明】
【０００７】
【図１】図１は、実施の形態に係る液晶テレビの外観斜視図である。
【図２】図２は、実施の形態に係る液晶モジュールの分解斜視図である。
【図３】図３は、実施の形態に係る液晶モジュールの分解斜視図である。
【図４】図４は、上記の液晶モジュールにおけるサポートピンの取付状況を説明するための模式断面図である。
【図５】図５は、上記の液晶モジュールの構成の例を説明するための模式断面図である。
【図６】図６は、上記の液晶モジュールにおいて、すべての外区画に第一パターンが適用されている場合の、角に位置する外区画における開口部の例を示す模式図である。
【図７】図７は、上記の液晶モジュールの断面の一部を底面方向から見た様子を模式的に示す部分断面図である。
【図８Ａ】図８Ａは、実施の形態の変形例における輝度均一板の構成を説明するための、液晶モジュールの模式的な部分断面図である。
【図８Ｂ】図８Ｂは、実施の形態の変形例における輝度均一板の構成を説明するための、液晶モジュールの模式的な部分断面図である。
【発明を実施するための形態】
【０００８】
本願発明者は、従来の画像表示装置に関し、以下の問題が生じることを見出した。
【０００９】
従来の液晶テレビ等の画像表示装置では、表示パネルを取り囲むように含む表示モジュールは、大まかには前後に薄い直方体であるが、より厳密には、その背面側の四辺が比較的大きく面取りされたような形状を有する。このような端面での厚さの小さい形状とすることで、表示モジュールそのものを薄く見せるという外観上の効果を得ている。
【００１０】
このような形状の表示モジュールの内部では、周辺部分における厚さがその他の部分での厚さに比べて小さい。
【００１１】
ところがこのような画像表示装置では、表示パネルの周辺部分においては内部空間の厚さ方向の制約上、その他の部分と共通の表示機構が採用できない。そのため、画面全体で均一な画質を得るのが困難であるという問題がある。具体例を挙げると、直下型バックライト方式を用いる画像表示装置では、複数の光源のうち表示パネルの最も外側にある光源におもに照らされる区画には、その他の区画とは異なり、入射する光には、入射面に対して斜めの面からの反射光が含まれるため光量が少ない。また、光源に照らされる隣接の区画が表示パネルの端部方向に存在しない。したがってそのような区画では、表示パネルのより内側にあって、全方向にある隣接の区画からも光が入る区画と異なり、表示パネルの端部付近の部分でも他の部分と同程度に高い輝度を得るのが困難である。つまり画面の端部付近で、端部に向かってより暗くなる輝度ムラが生じる。
【００１２】
なお、上記のような薄く見せる効果を奏する形状ではなく、薄い直方体に近い形状の表示モジュールでも同様の輝度ムラは生じ得る。このような画像表示装置では、下フレームの形状の工夫、又は反射シート若しくは拡散板への印刷である程度抑えられている。しかしながら上述のように、表示モジュールを薄く見せるための形状の制約が下フレームにあるために、隣接する区画から入る光量の表示パネル内の区画間での違いが複雑であり、反射シート等への印刷による輝度ムラの抑制が困難である。
【００１３】
本開示はこのような知見に基づいてなされたものであり、本願発明者は、画面全体で輝度の均一性のより高い表示が可能な画像表示装置の構造の着想を得た。
【００１４】
以下、適宜図面を参照しながら実施の形態を説明する。ただし、必要以上に詳細な説明は省略する場合がある。例えば、既によく知られた事項の詳細説明や実質的に同一の構成に対する重複説明を省略する場合がある。これは、以下の説明が不必要に冗長になるのを避け、当業者の理解を容易にするためである。
【００１５】
なお、本願発明者は、当業者が本開示を十分に理解するために添付図面および以下の説明を提供するのであって、これらによって請求の範囲に記載の主題を限定することを意図するものではない。
【００１６】
以下、液晶テレビを構成する画像表示装置を例に用いて、図を参照して複数の実施の形態について説明するが、それに先立って、実施の形態及びその変形例に共通して関連する画像表示装置の構造の概要について説明する。実施の形態間での差異は後述する。
【００１７】
また、以下の実施の形態において、説明の便宜上、画像表示装置の上下方向をｙ軸の方向と一致させ、前後方向をｚ軸の方向と一致させ、左右方向をｘ軸の方向と一致させている。ただし、これらの方向の対応付けは、本開示に係る画像表示装置の製造時又は使用時における姿勢を限定するものではない。
【００１８】
（画像表示装置の構成概要）
図１は、各実施の形態に係る画像表示装置１０の外観斜視図である。図２及び図３はそれぞれ、各実施の形態に係る液晶モジュール１００の分解斜視図である。
【００１９】
画像表示装置１０は例えば液晶テレビであり、図１に示されるように、液晶モジュール１００と、ベゼル１０１と、バックカバー１０３と、スタンド２００とを備える。
【００２０】
液晶モジュール１００は静止画及び動画を表示可能な映像表示のためのモジュールであり、表示パネル１０２を備える。
【００２１】
表示パネル１０２は、以下に説明する各実施の形態では、いわゆる液晶セルであり、複数のガラス板の間に液晶が封入された素子である。表示パネル１０２は、画像表示装置１０に入力された映像信号に基づいて制御され、映像を表示する。
【００２２】
また、液晶モジュール１００は、スタンド２００を用いて、床又は台の上に立てることができる。ただし、液晶モジュール１００の使用態様はこれに限定されない。例えば液晶モジュール１００は、スタンド２００を用いずに、他の取付具を用いて壁に掛けられるか又は埋め込まれたり、天井から吊り下げられたりしての画像表示装置１０としての使用が可能であってもよい。
【００２３】
樹脂で形成されるベゼル１０１は、画像表示装置１０の四辺それぞれに対応するよう分割して形成され、例えばネジを用いて相互に結合される。ベゼル１０１は、後述の表示パネル１０２から下フレーム１１１までの複数の部品を、バックカバー１０３と共に挟持する。
【００２４】
上記構成を有する液晶モジュール１００はさらに、図２又は図３に示されるように、モールドフレーム１０４と、光学シートユニット１０５と、拡散板１０６と、輝度均一板１０７と、反射シート１０８と、ＬＥＤシート１０９と、中継シート１１０と、下フレーム１１１と、サポートピン１１２とを備える。
【００２５】
モールドフレーム１０４は、光学シートユニット１０５からＬＥＤシート１０９及び中継シート１１０までの複数の部品（いわゆるバックライトユニット）を、下フレーム１１１と挟んで支持する。なお、図３ではモールドフレーム１０４の図示を省略している。
【００２６】
光学シートユニット１０５は、光学特性の異なる２、３種類のシートを複数枚重ねて構成される。例えば、光学シートユニット１０５には、縦方向のプリズムシート、横方向のプリズムシート及び拡散シートが含まれる。
【００２７】
拡散板１０６は、ＬＥＤシート１０９上に配置された、画像表示装置１０の光源である複数のＬＥＤ（Ｌｉｇｈｔ−Ｅｍｉｔｔｉｎｇ  Ｄｉｏｄｅ）１１３から入射する光を拡散して、表示パネル１０２に向けて出射する。
【００２８】
輝度均一板１０７は、ＬＥＤシート１０９上に配置された複数のＬＥＤ１１３からの光（以下、出射光ともいう）を、場所によって異なる輝度の均一度を高めて拡散板１０６及び表示パネル１０２がある側に透過させる。輝度均一板１０７は、例えば微細な気泡を密に含むＰＥＴ（ｐｏｌｙｅｔｈｙｌｅｎｅ  ｔｅｒｅｐｈｔｈａｌａｔｅ）等の樹脂製で、良好な光反射性を有するシート状の部材である。
【００２９】
輝度均一板１０７には、略全体にわたって貫通孔が多数形成されている。ＬＥＤ１１３の出射光は、その一部がこれらの貫通孔を通って反対側、つまり表示パネル１０２及び拡散板１０６のある側に抜ける（本開示では「光が輝度均一板１０７を透過する」とも表現している）。輝度均一板１０７は、離間した所定の位置にある光源からの光の単位面積当たりの透過量を均一に近づけるようにこれらの貫通孔の個数、大きさ、又は分布が調整されている。つまり、輝度均一板１０７に設けられる貫通孔のすべてが均一な大きさであったり、又は均等に分布したりするわけではない。このような貫通孔は、輝度均一板１０７において配列をなしている、それぞれがＬＥＤ１１３のいずれかに対向する複数の区画の各々に適用される所定のパターンで配置される。輝度均一板１０７は、例えば所定の大きさの上記の樹脂製のシートに、金型を用いてこのようなパターンに配置された貫通孔を開けることで製造される。
【００３０】
なお、図２及び図３における輝度均一板１０７上の桝目は、このような複数の区画があることを示す。ただし、輝度均一板１０７をこれらの桝目に区切る線は仮想線であり、実際にこのような線が引かれているわけではない。以下の図面においても同様である。所定のパターンについては、実施の形態で後述する。
【００３１】
この構成によって、ＬＥＤ１１３が出射した光の配向特性（以下、配光特性ともいう）がなだらかにされる。輝度均一板１０７によって配光特性がなだらかにされたＬＥＤ１１３からの光は、拡散板１０６によって輝度ムラがさらに抑えられるよう拡散されてから表示パネル１０２に向けて出射される。
【００３２】
反射シート１０８は、ＬＥＤシート１０９上に配置された複数のＬＥＤ１１３のそれぞれに対応する位置及び大きさの孔が設けられたシートであり、画像表示装置１０の正面側の面全体で光を反射する。反射シート１０８は、表示パネル１０２の有効領域と対向し、この有効領域より小さい略平坦な面を有する平坦部と、平坦部の四辺の端部から立ちあがり、画像表示装置１０の正面側から見て表示パネル１０２の有効領域の外縁に達する側壁部とを含み、全体として後述の下フレーム１１１に概ね沿う形状を有する。
【００３３】
ＬＥＤシート１０９は、複数のＬＥＤ１１３が配置されたフレキシブルプリント基板（以下、ＦＰＣ（Ｆｌｅｘｉｂｌｅ  Ｐｒｉｎｔｅｄ  Ｃｉｒｃｕｉｔｓの頭字語）という）である。ＬＥＤ１１３はシート状のＦＰＣの２つの主面の一方に配置され、ＦＰＣのＬＥＤが配置されている主面、つまりは画像表示装置１０の正面側の主面には、光を反射する反射層が形成される。また、ＬＥＤシート１０９の主面にある複数のＬＥＤ１１３は、表示パネル１０２の背面の極力広い範囲を、場所によるムラを極力抑えて照射できるよう、略等間隔で、例えば行列状に配置される。
【００３４】
中継シート１１０は、ＬＥＤシート１０９に配置されている各ＬＥＤ１１３へ電力及び制御信号などを送るための電気経路が形成されたＦＰＣである。また、中継シート１１０では、ＬＥＤシート１０９と同様に、画像表示装置１０の正面側の主面に反射層が形成される。
【００３５】
下フレーム１１１は薄い板金で形成される板状の部材であってベースプレートとも称され、ＬＥＤシート１０９及び中継シート１１０を支持する。下フレーム１１１は、表示パネル１０２の有効領域と対向し、この有効領域より小さい略平坦な面を有する平坦部１１１Ａと、平坦部１１１Ａの外縁、つまり四辺の端部から立ちあがり、画像表示装置１０の正面側（表示パネル１０２のある側）から見て表示パネル１０２の有効領域の外縁に達する側壁部１１１Ｂとを含む。バックカバー１０３を下フレーム１１１の外形に沿った形状にすることで、液晶モジュール１００は上述の、前後（ｚ軸に沿う方向）に薄い直方体から背面側の四辺が大きく面取りされたような形状による、より薄く見えるという外観上の効果を奏している。
【００３６】
なお、以下の各実施の形態で説明される構成は、上記のような効果を奏さない構成の下フレーム及び反射シートを備える液晶モジュールにも、表示パネル１０２の有効領域全体にわたる輝度の均一性を高めるために適用可能である点に留意されたい。
【００３７】
また、下フレーム１１１の平坦部１１１Ａには、光源である複数のＬＥＤ１１３が配置される。より具体的には、複数のＬＥＤ１１３が略等間隔で配置されたＬＥＤシート１０９及び中継シート１１０が平坦部１１１Ａに取り付けられる。その後、さらに反射シート１０８が、反射シート１０８の複数の孔から各ＬＥＤ１１３が露出するように貼り付けられる。各ＬＥＤ１１３の出射光は、直接、又はＦＰＣに形成された反射層及び反射シート１０８によって反射されて、各ＬＥＤ１１３に対して画像表示装置１０の正面側にある輝度均一板１０７に入射する。下フレーム１１１はさらに、光学シートユニット１０５からＬＥＤシート１０９及び中継シート１１０までのバックライトユニットを、モールドフレーム１０４と挟んで支持する。
【００３８】
下フレーム１１１はバックライトユニット各構成を支持するための構成をさらに有してもよい。例えば、下フレーム１１１には、画像表示装置１０を使用状態に置いたときに上側となる一辺の近辺に、光学シートユニット１０５を吊り下げる切り起こしが形成されていてもよい。この場合、光学シートユニット１０５には、例えばこの切り起こしに引っ掛けるための孔を有するタブが設けられる。
【００３９】
図３に示される複数のサポートピン１１２は、柱状の部材である。各サポートピン１１２は、下フレーム１１１に取り付けられる端部と反対側の端部である先端部１１２Ａと、柱状の形状の長手方向の途中にある鍔状のフランジ部１１２Ｂを有する。
【００４０】
複数のサポートピン１１２は、反射シート１０８越しに下フレーム１１１の平坦部１１１Ａに取り付けられ、反射シート１０８を下フレーム１１１と挟んで支持する。
【００４１】
また、複数のサポートピン１１２は、拡散板１０６及び輝度均一板１０７を支持する。図４は、液晶モジュール１００の内部で下フレーム１１１に取り付けられたサポートピン１１２が拡散板１０６及び輝度均一板１０７を支持する様子を説明するための模式図である。ただし、図４では、液晶モジュール１００の構成のうち、この説明に必要ないものは図示を省略している。
【００４２】
輝度均一板１０７には、下フレーム１１１に取り付けられた複数のサポートピン１１２のそれぞれに対応する位置に、サポートピン１１２を挿入するための孔が設けられている。輝度均一板１０７は、この孔にサポートピン１１２が先端部１１２Ａから挿入されて、図４に示されるように、サポートピン１１２のフランジ部１１２Ｂで支持されるように取り付けられる。
【００４３】
なお、サポートピン１１２は、設計上決定される、下フレーム１１１上のＬＥＤ１１３から離間した位置に輝度均一板１０７を支持すればよく、この支持のための構成は、鍔状のフランジ部１１２Ｂに限定されない。例えばサポートピン１１２は、フランジ部１１２Ｂに代えて頂面のある台座のような部分を有し、この部分の頂面で輝度均一板１０７を支持してもよい。または、サポートピン１１２は、取付時に液晶モジュール１００の正面から背面に向かって太くなる部分を有し、この部分と輝度均一板１０７の孔の径が一致する場所で輝度均一板１０７を支持してもよい。
【００４４】
また、拡散板１０６は、周辺において下フレーム１１１の側壁部１１１Ｂの端部で支持されるとともに、周辺以外の部分では、図４に示されるように、下フレーム１１１の平坦部１１１Ａに立設するサポートピン１１２の先端部１１２Ａで支持される。
【００４５】
このようなサポートピン１１２は、平坦部１１１Ａにおいて、拡散板１０６及び輝度均一板１０７の全体を支えられるよう、略等間隔で、例えば行列状に配置される。また、輝度均一板１０７に向かう光を極力遮らないよう、サポートピン１１２は、各ＬＥＤ１１３から離れた位置、例えば、行列方向に隣接する２個のＬＥＤ１１３から等距離の点を結ぶ直線上に配置される。
【００４６】
このような本開示に係る画像表示装置１０において、画面全体で輝度の均一性をより高めるための液晶モジュール１００の構成を以下に説明する。
【００４７】
（実施の形態）
図５は、実施の形態に係る液晶モジュール１００の構成を、例を用いて説明するための模式図である。
【００４８】
より具体的には、（ａ）は、輝度均一板１０７の複数の区画のうち、３つの区画の拡大正面図である。
【００４９】
（ｂ）は、輝度均一板１０７全体の模式的な正面図である。上述のとおり、輝度均一板１０７において配列をなす桝目状の区画の境界が仮想線で示される。（ｂ）から（ａ）に伸びる矢印は、（ｂ）に示す全体図における位置と（ａ）に示す拡大図の位置との対応を示す。
【００５０】
（ａ）及び（ｂ）に複数ある破線の矩形は、平坦部１１１Ａに配置されているＬＥＤ１１３の正面視における位置を示す。各区画は、下フレーム１１１の平坦部１１１Ａに配置されているＬＥＤ１１３のいずれかに対向する。
【００５１】
（ｃ）は、液晶モジュール１００のｘｚ平面に平行な断面を底面方向から見た図である。
【００５２】
（ｂ）及び（ｃ）に跨る２本の点線は、下フレーム１１１の平坦部１１１Ａと側壁部１１１Ｂとの境界に対応する位置を示す。この位置は、（ａ）の拡大図においても同じ外観の点線で示されている。
【００５３】
以下、図５を参照して、輝度均一板１０７を中心に本実施の形態に係る液晶モジュール１００の構成を説明する。
【００５４】
図５の（ａ）の複数の円は、輝度均一板１０７に開けられている貫通孔の開口部をそれぞれ示す。開口部１０７ｈ、１０７ｉ、１０７ｊ、及び１０７ｋは、以下の説明で例に用いる貫通孔の開口部である。同じ大きさの開口部には共通の参照符号が付されている。なお、（ｂ）では、これらの貫通孔の開口部は図示が省略されている。
【００５５】
貫通孔は、各区画に適用される所定のパターンで配置される。本実施の形態において、ひとつの輝度均一板１０７で用いられる所定のパターンには複数のパターンが含まれる。そして各区画に適用されるパターンは、複数の区画がなす配列における当該区画の位置によって異なる。より具体的には、図５に示される例では、区画の配列の左右両端に位置する列に含まれる区画と、その間にある列に含まれる区画とで適用されるパターンが異なる。ここでは、左右両端の列に含まれる各区画を区画１０７Ｂ、その間にある列に含まれる各区画を区画１０７Ａと呼ぶ。つまり、（ａ）に示す３つの区画は、左から右に向かって区画１０７Ｂ、区画１０７Ａ、区画１０７Ｂの順に並んでいる。区画１０７Ｂは、本実施の形態において後述する外区画の例である。
【００５６】
（ａ）を参照すると、所定のパターンのひとつが適用されている区画１０７Ａでは、対向するＬＥＤ１１３から遠い貫通孔ほど概して開口面積が大きい。例えば開口部１０７ｈ及び開口部１０７ｉのいずれも、区画１０７Ａの中央と重なる位置にあるＬＥＤ１１３からより近い貫通孔の開口部よりも大きい。また、開口部１０７ｈと開口部１０７ｉとを比較すると、ＬＥＤ１１３からより遠い貫通孔の開口部１０７ｈの方が大きい。
【００５７】
輝度均一板１０７では、光の透過率は、単位面積当たりの開口面積（以下、開口率という）にしたがって変化する。ここでいう単位面積は、ひとつの区画全体の面積よりは小さく、ひとつの貫通孔の開口面積として最大のものよりは大きく定めることができる。上述のように、ひとつの区画内で複数の貫通孔の開口面積に変化を付けることで、その区画内での開口率に、場所による差が付けることができる。これにより、区画１０７Ａの中での出射光の透過率は、ＬＥＤ１１３からより近い場所ではより低く、より遠い場所ではより高く調整される。その結果、区画１０７Ｂで輝度均一板１０７を表示パネル１０２側に透過した光の輝度を空間的に均一な状態に近づけることができる。
【００５８】
これに対し、所定のパターンの他のひとつが適用されている区画１０７Ｂでは、対向するＬＥＤ１１３から遠い貫通孔ほど概して開口面積が大きいという傾向がある。例えば、開口部１０７ｈと開口部１０７ｉとを比較すると、ＬＥＤ１１３からより遠い貫通孔の開口部１０７ｈの方が大きい。同様に、開口部１０７ｊと開口部１０７ｋとを比較すると、ＬＥＤ１１３からより遠い貫通孔の開口部１０７ｊの方が大きい。
【００５９】
また、さらに、区画の配列の外周からより近い貫通孔は、ＬＥＤ１１３からの距離は同程度であっても、この外周からより遠くにある貫通孔よりも開口面積が大きい。例えば、開口部１０７ｈと開口部１０７ｊとを比較すると、ＬＥＤ１１３からより遠い貫通孔の開口部１０７ｊの方が大きい。同様に、開口部１０７ｉと開口部１０７ｋとを比較すると、ＬＥＤ１１３からより遠い貫通孔の開口部１０７ｋの方が大きい。
【００６０】
このような貫通孔の開口部の面積の差は、輝度均一板１０７の左右にある区画１０７Ｂに共通して設けられている。なお、この例では、開口部１０７ｈと開口部１０７ｊ、及び開口部１０７ｉと開口部１０７ｋとでは径に１０％程度の差がある。
【００６１】
これにより、区画１０７Ｂの中での出射光の透過率は、ＬＥＤ１１３からより近い場所ではより低く、より遠い場所ではより高く調整され、表示パネル１０２側に透過した光の輝度を空間的に均一な状態に近づけることができる。また、あわせて、隣接する区画に対向するＬＥＤ１１３からの光が入らない、表示パネル１０２の端部からより近い場所では、ＬＥＤ１１３からの距離が同じであっても表示パネル１０２の端部からより遠い場所よりも高く調整される。その結果、区画１０７Ｂで輝度均一板１０７を表示パネル１０２側に透過した光の輝度を、空間的に均一な状態に近づけることができる。
【００６２】
なお、ひとつの区画に開口面積の異なる複数の貫通孔を配置するのは、その区画内で開口率を変化させるための貫通孔の配置の一例である。開口率を変化させる貫通孔の配置の他の例としては、開口面積の等しい貫通孔の密度（開口の中心間の距離）を区画内で変化させる配置、及び貫通孔の開口面積及び密度の両方を区画内で変化させる配置が挙げられる。また、開口の形状は図５に示されるような円形に限定されず、スリット状であってもよいし、多角形等その他の任意の形状でもよい。
【００６３】
貫通孔の配置がこれらのいずれであっても、上記のパターンが適用されている区画１０７Ａでは、複数の貫通孔による輝度均一板１０７の開口率と、当該区画１０７Ａが対向するＬＥＤ１１３からの距離とは正の相関を有する。このパターンを、以下では第二パターンともいう。また、上記のパターンが適用されている区画１０７Ｂでは、複数の貫通孔による輝度均一板１０７の開口率と、当該区画１０７Ｂが対向するＬＥＤ１１３からの距離とは正の相関を有し、かつ開口率と区画の配列の外周からの距離とが負の相関を有する。このパターンを、以下では第一パターンともいう。
【００６４】
ここまで、輝度均一板１０７で配列をなす複数の区画の一部を例に用いて貫通孔の配置に関する第一パターン及び第二パターンを説明した。次に、この配列における、各パターンが適用される区画の位置又は範囲について説明する。なお、以下の説明では、輝度均一板１０７において、複数の区画が３行以上かつ３列以上の行列状に並んで矩形の配列をなす場合を想定している。
【００６５】
第一パターンは、複数の区画のうち少なくとも、配列の外周に接する区画である外区画の一部に適用される。例えば、配列の左右両端の列に含まれる区画１０７Ｂのすべてに第一パターンが適用されてもよい。あわせて第二パターンは第一パターンが適用されていないすべての区画、つまり図５に示す区画１０７Ａのすべてに適用されてもよい。第一パターン及び第二パターンが複数の区画にこのように適用される場合、輝度均一板１０７の製造工程では、１行以上の行単位で穴あけが可能な金型を用いて、輝度均一板１０７の元になる樹脂製のシートを短辺に沿う方向（ｙ軸方向）に順送する工程で、従来に比べ効率を落とすことなく製造することができる。
【００６６】
また、画面の端部付近で端部に向かって暗くなる輝度ムラは、画面の上下でも生じる。このような輝度ムラを解消するためには、配列の最上行及び再下行に含まれるすべての区画に第一パターンが適用されてもよい。これらの行に含まれる区画も外区画である。また、配列の最上行及び再下行に含まれるすべての区画に第一パターンが適用され、これらの行の間にあるすべての行に含まれる区画には第二パターンが適用される場合、例えば１列以上の列単位で穴あけが可能な金型を用いて、輝度均一板１０７の元になる樹脂製のシートを長辺に沿う方向（ｘ軸方向）に順送する工程で、従来に比べ効率を落とすことなく製造することができる。
【００６７】
ここまでに説明した第一パターンが適用される区画は、配列の矩形の外周において、対向する１組の辺のいずれかに接する外区画であるとも言える。
【００６８】
第一パターンはまた、当該矩形の四辺のいずれかに接する外区画、つまりすべての外区画に第一パターンが適用され、配列の外周に接しない区画である内区画のすべてに第二パターンが適用されてもよい。これにより、画面のすべての端部付近において輝度の低下が抑えられる。この場合の、配列の角に位置する外区画における貫通孔の開口部を図６に示す。図６は、すべての外区画に第一パターンが適用されている場合の、正面視で配列の右下角に位置する外区画における貫通孔の開口部の例を示す模式図である。各種の線及び矢印が示す事項は図５の（ａ）と共通である。図６では、この外区画は図中右側及び下側が配列の外周に接している。そして、これらの外周からより近い貫通孔の開口部１０７ｊ及び１０７ｋが、ＬＥＤ１１３からの距離は同じで、外周からはより遠い貫通孔の開口部１０７ｈ、１０７ｉよりもそれぞれ大きい。
【００６９】
また、第二パターンは内区画の一部にのみ適用され、その他の内区画には第一パターンが適用されてもよい。例えば、各区画における輝度の上昇に、間に他の区画を１つ挟む位置にある区画からの光の有意な影響がある場合には、外区画に接する内区画にも第一パターンが適用されてもよい。つまり、外区画に接する内区画であっても、複数の貫通孔による輝度均一板１０７の開口率と、この内区画が対向するＬＥＤ１１３からの距離とが正の相関を有し、かつ開口率と配列の外周からの距離とが負の相関を有してもよい。さらに離れた区画からの光にも同様の影響があれば、配列の外周からさらに遠い内区画でも第一パターンが適用されてもよい。
【００７０】
つまり、第一パターンは上述のとおり、複数の区画のうち少なくとも、配列の外周に接する区画である外区画の一部に適用される。また、第一パターンは、外区画の一部又は全部に加えて、内区画の一部にも適用されてもよい。また、第二パターンは、第一パターンが適用されない区画に適用され、より具体的には、内区画の少なくとも一部に適用される。また、第一パターンが外区画の一部のみに適用されている場合は、内区画に加えて、第一パターンが適用されていない外区画にも適用される。
【００７１】
なお、ここまでに説明した各パターンが適用される区画の位置又は範囲は、輝度均一板１０７において、複数の区画が３行以上かつ３列以上の行列状に並んで矩形の配列をなす場合を想定しているが、これ以外の大きさ又は形状であっても同様の考えに基づいて適用することができる。
【００７２】
例えば、区画の行または列の数が３未満の配列では、すべての区画が配列の外周に接する外区画であり、内区画は存在しない。この場合には、すべての区画に第一パターンが適用されてもよい。また、行又は列の一方が３未満であっても他方が３以上であれば、配列の長手方向の両端にある行又は列にのみ第一パターンが適用されてもよい。
【００７３】
また、例えば配列の外周の形状が矩形ではない場合も、外周に接する区画を外区画、接しない区画を内区画と考えて、各パターンを適用することができる。また、区画が厳密な行列状の配列をなしているとは言えない場合、例えば千鳥配列である場合も同様に考えて各パターンを適用することができる。さらに、図示の例では各区画の形状は矩形であるが、矩形以外の形状、例えば三角形又は六角形等の平面充填が可能な形状の区画及びこのような区画がなしうる形状の配列に対しても、本実施の形態を適用することができる。
【００７４】
（効果）
ここで、輝度均一板１０７の外区画に第一パターンが適用されることによる、画面の端部の輝度ムラの抑制の効果について図を用いて説明する。図７は、液晶モジュール１００のｘｚ平面に平行な断面の一部を底面方向から見た様子を模式的に示す部分断面図である。
【００７５】
図７において、液晶モジュール１００内の矢印の方向は光の進行方向を、長さは強さ（輝度）を示す。また、矢印の模様の違いは、光を出射したＬＥＤ１１３が異なることを示す。なお、輝度均一板１０７に入射する前に区画を超えている光は、見やすさのために図示を省略している。
【００７６】
上述のとおり、本実施の形態における輝度均一板１０７では、場所によって光の透過率が異なる。まず、外区画と内区画とで共通する、ひとつの区画内での透過率の違いについて説明する。輪郭が実線の矢印のみを参照されたい。
【００７７】
ひとつの区画において、ＬＥＤ１１３の出射光は、直上で最も強く、ＬＥＤ１１３から遠ざかるほど減衰して弱まる。場所によるこのような光の強さの差異が、輝度均一板１０７透過後には小さくなるよう、輝度均一板１０７の透過率はＬＥＤ１１３の直上付近では最も低く、光の強さを示す矢印の長さは輝度均一板１０７を挟んで大きく異なる。
【００７８】
これに対し、ＬＥＤ１１３からより遠くでは透過率はより高く、輝度均一板１０７を挟む矢印の長さの差はＬＥＤ１１３の直上付近に比べて小さい。
【００７９】
また、透過率は、隣接する区画から入る光の強さも考慮して、場所による透過後の光の強さの差が極力小さくなるよう調整されている。輝度均一板１０７より上にある矢印の先端位置の高さ（２つの矢印が上下に並ぶ場合は上の矢印の先端位置の高さ）の差が小さいことによって示されるように、透過後の光の強さの場所による差が抑えられる。
【００８０】
次に、当該外区画と、第二パターンが適用されている内区画とで透過率の分布を比較する。
【００８１】
内区画では、ＬＥＤ１１３の直上付近を挟んで透過率は対称に変化する。
【００８２】
これに対し、第一パターンが適用されている外区画では、ＬＥＤ１１３の直上付近と、隣接する区画とに挟まれる部分では、透過率は内区画と同様に変化する。一方、ＬＥＤ１１３の直上付近と配列の外周とに挟まれる部分では、外周から近い場所ほど透過率が高い。したがって、輝度均一板１０７に入射する光は外周から近い場所ほど弱いが、輝度均一板１０７を透過した後の光は、外周から近い場所でもＬＥＤ１１３の直上付近との差が小さい。また、ＬＥＤ１１３の直上付近を挟む透過率の変化は非対称である。
【００８３】
ここで、外区画に第一パターンが適用されている場合の透過率と、第二パターンが適用されている場合の透過率を比較する。破線の輪郭の矢印は、第二パターン、つまり内区画と共通のパターンが適用されている外区画において、配列の外周付近で輝度均一板１０７を透過した光を示す。破線の輪郭の矢印と実線の輪郭の矢印の長さとの差が、この場所での輝度の差である。
【００８４】
このように、本実施の形態における輝度均一板１０７では、透過させた光の輝度の均一性をより高めるために、場所によって変化する入射光の強さに応じて、より具体的には、入射光の強さと負の相関を持つように透過率が変化する。この透過率の変化は、光を透過させるために設けられる貫通孔による開口率を変化させることで実現させている。貫通孔は各光源に対向する区画単位のパターンで配置される。また、各場所での入射光の強さのは、光源であるＬＥＤ１１３からの距離のみならず、隣接する区画の有無の違いによっても変化するため、輝度均一板１０７の場所によって一区画内の入射光の強さの分布が異なる。この入射光の強さの分布の違いに対応するために、本実施の形態における輝度均一板１０７では、各区画に適用する貫通孔の配置のパターンを、区画の配列の外周に接するか否かに応じて変えている。
【００８５】
また、各区画に適用される貫通孔の配置のパターンの決定には１区画以上挟んで離れる区画に対向するＬＥＤ１１３からの光の影響の有無がさらに考慮されてもよい。
【００８６】
また、輝度均一板の製造効率がさらに考慮されてもよい。第一パターンを適用する区画の選び方によっては、輝度均一板１０７の製造は、従来の輝度均一板の製造工程において金型を変えるのみで対応可能である。
【００８７】
輝度均一板１０７を備える液晶モジュール１００が用いられている画像表示装置１０では、画面の中心から周辺にわたる連続する領域で、輝度の均一性のより高い表示が可能である。この液晶モジュール１００は、例えば全体の厚さが凡そ均等なものであっても、直下型バックライトからの光の、画面内の位置による強さの差を吸収して画面全体での輝度ムラを抑えることができる。従来、このような光の強さの差は、印刷によって所定のパターンで拡散板に塗布するインクによる遮光によって抑えられていたが、従来と同程度の効率で製造可能な輝度均一板１０７を用いることで、このインクの塗布から乾燥までの印刷工程を液晶モジュール１００の製造工程から排除することができ、製造コストの削減が見込める。
【００８８】
また、端部に近いほど薄い形状の液晶モジュール１００では、輝度均一板１０７に入射する光の輝度は、下フレームの形状の影響で画面内の中心と周辺とでムラがより大きくなりやすい。この場合も、輝度均一板１０７では、各区画に適用する貫通孔の配置のパターンを個々に調整して最適にすることで、画面全体での輝度ムラを抑制することができる。
【００８９】
（実施の形態の変形例）
上述の実施の形態では、貫通孔の配置のパターンに関する工夫で画面全体の輝度ムラを抑制した。しかしながら、貫通孔の配置のパターンの数及び種類が共通の輝度均一板１０７であっても、液晶モジュールによって輝度ムラの抑制効果を同程度に得られない場合がある。これは、ＬＥＤの機種間での内部構造等の差異によって、光源であるＬＥＤの配光特性が異なることに起因する。
【００９０】
これに対し、本願発明者は、上述のように金型を用いて輝度均一板１０７に開けられた貫通孔の形状の特性を活かして光源間の配光特性の差異をある程度吸収してより高い輝度ムラの抑制効果を得る構成を見出した。この構成について、図８Ａ及び図８Ｂを参照して以下に説明する。図８Ａ及び図８Ｂは、本変形例における輝度均一板１０７の構成を説明するための、液晶モジュールの模式的な部分断面図である。
【００９１】
図８Ａ及び図８Ｂでは、それぞれ下フレーム１１１にＬＥＤ１１３Ａ、ＬＥＤ１１３Ｂが配置されている。ただし、ＬＥＤ１１３ＡとＬＥＤ１１３Ｂとでは、配光特性が異なる。より具体的には、ＬＥＤ１１３Ａでは、出射光のうち直進方向（ｚ軸に沿う方向）に進む光が強く、斜め又は横に向かう光との差が大きい。ＬＥＤ１１３Ｂでは、中では直進方向に進む光が最も強いものの、斜め又は横に向かう光との差が小さい。図８Ａ及び図８Ｂにおける矢印の方向は、代表的な出射光の進行方向を示し、長さはその強さを示す。
【００９２】
本変形例においては、金型を用いて貫通孔を開けることで輝度均一板１０７に生じるダレを利用してこの配光特性の違いを吸収して輝度の均一性を高める。
【００９３】
具体的には、ＬＥＤ１１３Ａのような配光特性を持つ光源に対しては、ダレのある面を光源と反対側に向ける。ＬＥＤ１１３Ａの出射光は直進に近い光の量が多いため、このような構成において、輝度均一板１０７に遮られて貫通孔を透過できない光は比較的少ない。また、拡散板１０６に向かう光はダレのある面から広がるように出射するため、輝度を均一化させやすい。
【００９４】
また、ＬＥＤ１１３Ｂのような配光特性を持つ光源に対しては、ダレのある面を光源に向ける。つまり光源から広がるように出射される比較的強い光が、ダレがあることでより広い方の開口部から輝度均一板１０７に入射することができ、輝度均一板１０７に遮られにくい。つまり、輝度均一板１０７を図８Ａに示すような構成で用いるよりも、より多くの光を入射させ、結果的により多く透過させることができる。
【００９５】
このように、輝度均一板１０７の表裏を光源の配光特性に合わせて変えることで、輝度均一板１０７全体の光の透過率を上げることができる。また、本変形例における構成を用いることで、上記の実施の形態における輝度均一板１０７を、光源の配光特性に応じてより高い輝度ムラの抑制効果が得られるよう使うことができる。
【００９６】
また、このような構成は、１種類の輝度均一板１０７の表裏を変更するのみで実現できるため、光源の配光特性に合わせて種類の異なる輝度均一板を用意するよりも製造コスト面で有利である。
【００９７】
また、１種類の輝度均一板１０７で配光特性の異なる光源に対応できるため、光源の調達の選択肢が広がる。
【００９８】
（他の実施の形態）
以上のように、本出願において開示する技術の例示として、実施の形態を説明した。しかしながら、本開示における技術は、これらに限定されず、適宜、変更、置き換え、付加、省略などを行った実施の形態にも適用可能である。
【００９９】
例えば、上記では複数のＬＥＤ１１３を光源として説明したが、上記の実施の形態及び変形例は、ＬＥＤ以外の光源が用いられている直下型バックライト方式の画像表示装置にも適用可能である。各実施の形態又は変形例が適用される画像表示装置のＬＥＤ以外の光源としては、例えば冷陰極管及び蛍光管が挙げられる。
【０１００】
また、画像表示装置１０は例えば液晶テレビであると説明したが、他の例として、パーソナルコンピュータ用のモニタディスプレイ、デジタルサイネージ用のディスプレイが挙げあられる。
【０１０１】
また、上述の実施の形態及びその変形例で説明した各構成要素を組み合わせて、新たな実施の形態とすることも可能である。
【０１０２】
また、上述の実施の形態及びその変形例は、本開示における技術を例示するためのものであるから、請求の範囲又はその均等の範囲において種々の変更、置き換え、付加、省略などを行うことができる。
【産業上の利用可能性】
【０１０３】
本開示は、例えば周辺部分の厚さを他の部分より抑えたことでより薄く見える外観を備える画像表示装置に適用可能である。より具体的には、テレビジョン受像機、モニタディスプレイ、又はデジタルサイネージ用ディスプレイ等に本開示は適用可能である。
【符号の説明】
【０１０４】
１０  画像表示装置
１００  液晶モジュール
１０１  ベゼル
１０２  表示パネル
１０３  バックカバー
１０４  モールドフレーム
１０５  光学シートユニット
１０６  拡散板
１０７  輝度均一板
１０７Ａ、１０７Ｂ  区画
１０７ｈ、１０７ｉ、１０７ｊ、１０７ｋ  開口部
１０８  反射シート
１０９  ＬＥＤシート
１１０  中継シート
１１１  下フレーム
１１１Ａ  平坦部
１１１Ｂ  側壁部
１１２  サポートピン
１１２Ａ  先端部
１１２Ｂ  フランジ部
１１３、１１３Ａ、１１３Ｂ  ＬＥＤ（光源）
２００  スタンド
【図１】
2018147274.tif 000003
【図２】
2018147274.tif 000004
【図３】
2018147274.tif 000005
【図４】
2018147274.tif 000006
【図５】
2018147274.tif 000007
【図６】
2018147274.tif 000008
【図７】
2018147274.tif 000009
【図８Ａ】
2018147274.tif 000010
【図８Ｂ】
2018147274.tif 000011
【国際調査報告】
2018147274.tif 000012
2018147274.tif 000013
2018147274.tif 000014
2018147274.tif 000015